(57)【要約】【課題】画像およびその撮影地点との対応をわかりやすく表示すること。【解決】情報処理装置は、表示装置の画像用領域１４に複数の画像を表示させる第１表示制御と、表示装置の地図用領域１２に地図を表示させる第２表示制御と、地図上に複数の画像の撮影位置を示す撮影地点マークを表示させる第３表示制御と、表示装置に画像と撮影地点マークとの対応を示す表示１，２，３をさせる第４表示制御とを備える。【選択図】図５
2010026975.tif 000002
【特許請求の範囲】
【請求項１】
表示装置の画像用領域に複数の画像を表示させる第１表示制御手段と、
前記表示装置の地図用領域に地図を表示させる第２表示制御手段と、
前記地図上に前記複数の画像の撮影位置を示す撮影地点マークを表示させる第３表示制御手段と、
前記表示装置に前記画像と前記撮影地点マークとの対応を示す表示をさせる第４表示制御手段とを備えることを特徴とする情報処理装置。
【請求項２】
請求項１に記載の情報処理装置において、
前記第１表示制御手段は、複数の縮小画像を表示させることを特徴とする情報処理装置。
【請求項３】
請求項１に記載の情報処理装置において、
前記第１表示制御手段は、前記画像用領域に表示中の画像のうち操作部材の操作に基づいて１以上の画像を非表示にし、
前記第３表示制御手段は、前記非表示にされた画像に対応する撮影地点マークの表示態様を前記表示中の画像に対応する撮影地点マークの表示態様と異ならせることを特徴とする情報処理装置。
【請求項４】
請求項３に記載の情報処理装置において、
前記第１表示制御手段は、前記画像用領域に表示中の画像のうち前記操作部材からの信号で指示された画像の表示態様を他の画像の表示態様と異ならせ、
前記第３表示制御手段は、前記異なる表示態様にされた画像に関連づけて当該画像に対応する撮影地点マークを表示させることを特徴とする情報処理装置。
【請求項５】
請求項３に記載の情報処理装置において、
前記第３表示制御手段は、前記地図上に表示中の撮影地点マークのうち前記操作部材からの信号で指示された撮影地点マークの表示態様を他の撮影地点マークの表示態様と異ならせ、
前記第１表示制御手段は、前記異なる表示態様にされた撮影地点マークに関連づけて当該撮影地点マークに対応する画像を表示させることを特徴とする情報処理装置。
【請求項６】
請求項４または５に記載の情報処理装置において、
前記第１表示制御手段および前記第３表示制御手段は、対応する画像と撮影地点マークとに共通の符号を付することを特徴とする情報処理装置。
【請求項７】
請求項６に記載の情報処理装置において、
前記第１表示制御手段はさらに、前記操作部材からの信号で指示された画像に所定の順番で前記符号を付することを特徴とする情報処理装置。
【請求項８】
請求項７に記載の情報処理装置において、
前記第１表示制御手段はさらに、前記画像用領域を複数に分割した領域ごとに所定の順番で前記符号を付することを特徴とする情報処理装置。
【請求項９】
請求項６〜８のいずれか一項に記載の情報処理装置において、
前記第３表示制御手段はさらに、前記地図上で重なる複数の撮影地点マークを１つにまとめるとともに、複数の画像に対応することを示す態様で当該撮影地点マークを表示させることを特徴とする情報処理装置。
【請求項１０】
請求項９に記載の情報処理装置において、
前記第３表示制御手段はさらに、前記撮影地点マークに複数の画像に対応することを示す符号を付することを特徴とする情報処理装置。
【請求項１１】
表示装置の画像用領域に複数の画像を表示させる第１表示処理と、
前記表示装置の地図用領域に地図を表示させる第２表示処理と、
前記地図上に前記複数の画像の撮影位置を示す撮影地点マークを表示させる第３表示処理と、
前記表示装置に前記画像と前記撮影地点マークとの対応を示す表示をさせる第４表示処理とをコンピュータ装置に実行させることを特徴とする情報処理プログラム。
【発明の詳細な説明】
【技術分野】
【０００１】
本発明は、画像およびその撮影地点を示す情報を表示する情報処理装置、および情報処理プログラムに関する。
【背景技術】
【０００２】
地図と撮影画像とを表示し、当該地図上に撮影画像の撮影地点を表示する技術が知られている（特許文献１参照）。
【０００３】
【特許文献１】特開２００７−３２３５４３号公報
【発明の開示】
【発明が解決しようとする課題】
【０００４】
従来技術では、画像とその撮影地点を示すマークとの対応がわかりづらいという問題があった。
【課題を解決するための手段】
【０００５】
（１）本発明による情報処理装置は、表示装置の画像用領域に複数の画像を表示させる第１表示制御手段と、表示装置の地図用領域に地図を表示させる第２表示制御手段と、地図上に複数の画像の撮影位置を示す撮影地点マークを表示させる第３表示制御手段と、表示装置に画像と撮影地点マークとの対応を示す表示をさせる第４表示制御手段とを備えることを特徴とする。
（２）本発明による情報処理プログラムは、表示装置の画像用領域に複数の画像を表示させる第１表示処理と、表示装置の地図用領域に地図を表示させる第２表示処理と、地図上に複数の画像の撮影位置を示す撮影地点マークを表示させる第３表示処理と、表示装置に画像と撮影地点マークとの対応を示す表示をさせる第４表示処理とをコンピュータ装置に実行させることを特徴とする。
【発明の効果】
【０００６】
本発明によれば、画像およびその撮影地点との対応をわかりやすく表示できる。
【発明を実施するための最良の形態】
【０００７】
以下、図面を参照して本発明を実施するための最良の形態について説明する。図１は、本発明の一実施の形態による情報処理装置を例示する図である。本実施形態では、情報処理プログラムをコンピュータ装置２００に実行させることによって情報処理装置を構成する。情報処理プログラムをパーソナルコンピュータ２００に取込んで使用する場合には、パーソナルコンピュータ２００のデータストレージ装置にプログラムをローディングした上で、当該プログラムを実行させる。
【０００８】
パーソナルコンピュータ２００に対するプログラムのローディングは、プログラムを格納したＣＤ−ＲＯＭなどの記録媒体２０４をパーソナルコンピュータ２００にセットして行ってもよいし、ネットワークなどの通信回線２０１を経由する方法でパーソナルコンピュータ２００へローディングしてもよい。通信回線２０１を経由する場合は、通信回線２０１に接続されたサーバー（コンピュータ）２０２のハードディスク装置２０３などにプログラムを格納しておく。情報処理プログラムは、記録媒体２０４や通信回線２０１を介する提供など、種々の形態のコンピュータプログラム製品として供給することができる。
【０００９】
本実施形態の情報処理装置は、電子カメラによって撮影され、生成された画像ファイルの情報をディスプレイに表示する。画像ファイルは、たとえばJPEG形式の画像データが画像データ部に格納され、付加情報が付加情報部に格納されたＥｘｉｆ形式のファイルである。付加情報として、撮影時に電子カメラによって取得された撮影位置情報（たとえば、GPS衛星からの送信電波に基づいて算出された測位情報）、および撮影日時情報が含まれている。
【００１０】
図２は、情報処理装置のディスプレイに表示される表示画面を例示する図である。図２に例示したディスプレイの表示画像には、フォルダ領域１１と、地図領域１２と、画像領域１４とが含まれる。地図領域１２にはズームコントロールバー１５が備えられる。また、画像領域１４には、絞り込みコントロール１３およびズームコントロールバー１６が備えられる。
【００１１】
＜フォルダ領域＞
情報処理装置は、ファイルシステム上のフォルダを示すツリー表示をフォルダ領域１１に行う。
【００１２】
＜地図領域＞
情報処理装置は、フォルダ領域１１において選択されたフォルダの中に格納されている画像ファイルの撮影位置を含むエリアの地図を地図領域１２に表示させる。地図画像表示に必要な地図情報は、あらかじめパーソナルコンピュータ２００（図１）のデータストレージ装置に格納されている。フォルダの選択操作は、たとえば、後述するポインタ３１をフォルダアイコンに重ね表示させた状態で行われる。
【００１３】
地図画像に重ねて、撮影地点を示すマーク１７がそれぞれ表示されている。各撮影地点マーク１７は、それぞれ対応する撮影地点で撮影された画像のファイルが選択されているフォルダ内に存在することを示す。
【００１４】
ポインタ３１は、ディスプレイの表示画面内を移動自在に表示制御される。情報処理装置は、キーボードやポインタ操作部材（不図示）からの操作信号に応じて、ポインタ３１を移動させる。
【００１５】
ディスプレイに表示する地図画像の表示範囲（すなわち、地図の縮尺）は、ポインタ３１によるズームコントロールバー１５のドラッグ操作に応じて変化させる。情報処理装置は、ズームコントロールバー１５がテレ側（たとえば右方向）にドラッグ操作されると縮尺率を下げ（拡大表示）、ワイド側（左方向）にドラッグ操作されると縮尺率を高める（縮小表示）ように表示制御する。
【００１６】
＜画像領域＞
情報処理装置は、フォルダ領域１１において選択されているフォルダの中に格納されている画像ファイルからそれぞれのサムネイル画像のデータを読み出し、各サムネイル画像を画像領域１４内に並べて表示させる。情報処理装置は、画像領域１４内に全てのサムネイル画像を表示できない場合には一部のサムネイル画像を表示させるとともに公知のスクロールバーを表示させる。このスクロールバーがポインタ３１によりドラッグ操作された場合、情報処理装置は表示中の各サムネイル画像を画像領域１４内でスクロールさせることにより、非表示のサムネイル画像を表示するように表示制御を行う。
【００１７】
画像領域１４に表示するサムネイル画像の表示サイズは、ポインタ３１によるズームコントロールバー１６のドラッグ操作に応じて変化させる。情報処理装置は、ズームコントロールバー１６がテレ側（たとえば右方向）にドラッグ操作されると表示中のサムネイル画像をそれぞれ拡大表示し、ワイド側（左方向）にドラッグ操作されると表示中のサムネイル画像をそれぞれ縮小表示するように表示制御を行う。
【００１８】
画像領域１４の表示位置は、ディスプレイの表示画面内を移動自在に表示制御される。情報処理装置は、ポインタ３１による画像領域１４のドラッグ操作に応じて、画像領域１４の表示位置を移動させる。また、画像領域１４の表示サイズも変更自在に構成されている。
【００１９】
＜絞り込み＞  
絞り込みコントロール１３は、画像領域１４に表示するサムネイル画像数を制限する、すなわち、表示対象を絞り込むためのツールである。本実施形態では、画像ファイルの撮影日時情報に基づいて画像ファイルの絞り込みを行う。図３は、絞り込みコントロール１３の拡大図である。図３において、直線上に並ぶ個々の黒丸「・」が個々の画像ファイルを表す。情報処理装置は、画像ファイル数に等しい数の黒丸「・」を等間隔で並べて表示する。
【００２０】
絞り込み操作が行われる前の初期状態では、絞り込みコントロール１３の左端に始点マーク４１が、絞り込みコントロール１３の右端に終点マーク４２が、それぞれ表示される。初期状態における左端は、撮影日時が最も古い画像ファイルに対応する。初期状態における右端は、撮影日時が最も新しい画像ファイルに対応する。左端と右端との間の黒丸「・」は、撮影日時順に並べた画像ファイルに対応する。情報処理装置は、始点マーク４１と終点マーク４２との間に位置する黒丸「・」に対応する画像ファイルのサムネイル画像を画像領域１４に表示させる。
【００２１】
情報処理装置は、始点マーク４１および終点マーク４２の表示位置をポインタ３１によるドラッグ操作に応じて左右に移動させる（図４）とともに、絞り込み条件から外れた画像ファイル、すなわち、始点マーク４１の左側、および終点マーク４２の右側に位置する黒丸「・」に対応する画像ファイルのサムネイル画像を非表示にする。図５は、絞り込み操作後において表示されるディスプレイの表示画面を例示する図である。図５によれば、絞り込みコントロール１３の始点マーク４１および終点マーク４２が図４に示すように移動され、画像領域１４に表示されるサムネイル画像の数が制限される。
【００２２】
情報処理装置はさらに、絞り込み操作後の地図領域１２に表示中の撮影地点を示すマークのうち、絞り込み条件に合致した画像ファイル、すなわち、始点マーク４１と終点マーク４２との間に位置する黒丸「・」に対応する画像ファイルの撮影地点マークの態様を、図２の場合の表示態様と異ならせる。
【００２３】
図５の例では、絞り込み条件に合致した画像ファイルに対応する６つの撮影地点マークについて、塗りつぶして表示する態様から縞模様で表示する態様へ切り替えられている。なお、表示の態様は、模様を変える他に色を変えたり、濃度を変えたり、マークの形を変えたりしてもよい。
【００２４】
情報処理装置は、始点マーク４１および終点マーク４２の表示位置にポインタ３１が重ね操作された場合、始点マーク４１（または終点マーク４２）で示される黒丸「・」に対応する画像ファイルの撮影日時情報をポップアップ表示させる。図６は、ポップアップ表示中の絞り込みコントロール１３の拡大図である。
【００２５】
＜選択＞    
選択ツールは、画像領域１４に表示するサムネイル画像と、地図領域１２に表示中の撮影地点マークとの対応を表すためのツールである。本実施形態では、あらかじめメニュー設定によって以下の３態様の中からいずれか１つの選択ツールを選ぶように構成される。
【００２６】
（態様１）図７に例示するように、地図領域１２に表示される撮影地点マークと画像領域１４に表示されるサムネイル画像とを結ぶ線を表示させて対応関係を表す。態様１では、画像領域１４においてサムネイル画像を選択する操作が先に行われると、当該サムネイル画像から対応する撮影地点マークへ線を表示させる。また、地図領域１２において撮影地点マークを選択する操作が先に行われると、当該撮影地点マークから対応するサムネイル画像へ線を表示させる。なお、選択操作は、たとえば、撮影地点マークまたはサムネイル画像にポインタ３１を重ねて行う方式でもよいし、いわゆる矩形ドラッグ操作による矩形領域に含まれる撮影地点マークまたはサムネイル画像をまとめて選択する方式でもよい。
【００２７】
（態様２）図８に例示するように、地図領域１２に表示される撮影地点マークと、画像領域１４に表示されるサムネイル画像とに共通の符号を表示させて対応関係を表す。態様２では、画像領域１４においてサムネイル画像を選択する操作が先に行われると、当該サムネイル画像に表示する符号１，２，３，および４と共通の符号１，２，３，および４を対応する撮影地点マークに表示させる。地図領域１２の表示範囲（すなわち、地図の縮尺）は、選択されたサムネイル画像に対応した撮影地点マークを全て含むように制御する。なお、サムネイル画像を選択する操作は、たとえば、サムネイル画像にポインタ３１を重ねて行う方式でもよいし、いわゆる矩形ドラッグ操作による矩形領域に含まれるサムネイル画像をまとめて選択する方式でもよい。サムネイル画像をまとめて選択する場合は、左上に位置するサムネイル画像から順番に符号を付す。
【００２８】
（態様３）図９に例示するように、地図領域１２に表示される撮影地点マークと、画像領域１４に表示されるサムネイル画像とに共通の符号を表示させて対応関係を表す。態様３では、地図領域１２において撮影地点マークを選択する操作が先に行われると、当該撮影地点マークに表示する符号１，２，３，および４と共通の符号１，２，３，および４を対応するサムネイル画像に表示させる。画像領域１４の表示範囲（スクロール状態）は、選択された撮影地点マークに対応したサムネイル画像のうち、先頭（符号１番）のサムネイル画像を含むように制御する。なお、撮影地点マークを選択する操作は、たとえば、撮影地点マークにポインタ３１を重ねて行う方式でもよいし、いわゆる矩形ドラッグ操作による矩形領域に含まれる撮影地点マークをまとめて選択する方式でもよい。撮影地点マークをまとめて選択する場合は、左上方に位置する撮影地点マークから順番に符号を付す。
【００２９】
図５の表示画面は、態様２の場合を例示したものである。情報処理装置は、画像領域１４に表示中のサムネイル画像のうち、選択されているサムネイル画像の表示態様を非選択のサムネイル画像の表示態様と異ならせる。たとえば、サムネイル画像の枠の色を異ならせたり、サムネイル画像の枠の輝度を異ならせたりする。
【００３０】
また、情報処理装置は、地図領域１２に縞模様で表示中の撮影地点マークのうち、選択されている撮影地点マークの表示態様を非選択の撮影地点マークの表示態様と異ならせる。たとえば、縞模様の縞の向きを異ならせたり、縞の輝度を異ならせたりする。図５の例では、絞り込み条件に合致した画像ファイルに対応する６つの撮影地点マークが横縞模様で表示された上で、その中で選択された３つ撮影地点マークが縦縞模様で表示されている。
【００３１】
＜符号順序＞
上述した態様３において、左上方に位置する撮影地点マークから順番に符号を付す場合、符号順序が連続しているにもかかわらず、撮影地点が緯度方向に大きく離れる場合がある。そこで、図１０の上段に示すように、地図領域１２を所定の緯度間隔ｒごとに分割し、各分割領域ごとに左上方に位置する撮影地点マークから順番に符号を付す。図１０の下段は、分割領域ごとに順番に符号を付した場合を例示する図である。
【００３２】
情報処理装置は、地図領域１２の縮尺に応じて緯度間隔ｒを変化させる。具体的には、縮尺が小さい場合に緯度間隔ｒを狭くし、縮尺が大きい場合には緯度間隔ｒを広くする。
【００３３】
＜大マーク＞
情報処理装置は、撮影地点が近くて撮影地点マークが重なる場合に撮影地点マークを大きく表示させる。撮影地点マークの大きさは、たとえば、重なり数が１０未満の場合と、重なり数が１１以上３０未満の場合と、重なり数が３１以上６０未満の場合と、重なり数が６０以上の場合とで段階的に異ならせる。
【００３４】
＜大マーク表示時の選択＞    
態様１および態様３の中で、いずれか１つの選択ツールが選択可能に構成される。撮影地点が重ならない場合と同様に、態様１または態様３の選択は、あらかじめメニュー設定によって行われる。
【００３５】
（態様１Ｂ）図１１に例示するように、地図領域１２に表示される撮影地点大マークと画像領域１４に表示されるサムネイル画像とを結ぶ線を表示させて対応関係を表す。態様１Ｂでは、画像領域１４においてサムネイル画像を選択する操作が先に行われると、当該サムネイル画像から対応する撮影地点大マークへ線を表示させる。また、地図領域１２において撮影地点大マークを選択する操作が先に行われると、当該撮影地点大マークから対応するサムネイル画像へ線を表示させる
【００３６】
（態様３Ｂ）図１２に例示するように、地図領域１２に表示される撮影地点大マークと、画像領域１４に表示されるサムネイル画像とに共通の符号を表示させて対応関係を表す。態様３Ｂでは、地図領域１２において撮影地点大マークを選択する操作が先に行われると、当該撮影地点大マークに表示する符号１−３と共通の符号１，２，および３を対応するサムネイル画像に表示させる。符号の順序は、撮影地点大マークに対応したサムネイル画像の撮影日情報に基づいて撮影日時が早いものから順番に付与する。画像領域１４の表示範囲（スクロール状態）は、選択された撮影地点大マークに対応したサムネイル画像のうち、先頭（符号１番）のサムネイル画像を含むように表示制御する。
【００３７】
図１２において、情報処理装置は、画像領域１４に表示中のサムネイル画像のうち、選択されているサムネイル画像の表示態様を非選択のサムネイル画像の表示態様と異ならせる。たとえば、サムネイル画像の枠の色を異ならせたり、サムネイル画像の枠の輝度を異ならせたりする。
【００３８】
また、情報処理装置は、地図領域１２に縞模様で表示中の撮影地点マークのうち、選択されている撮影地点大マークの表示態様を非選択の撮影地点マークの表示態様と異ならせる。図１２の例では、撮影地点大マークが縦縞模様で表示されている。撮影地点大マークに表示する符号１−３は、選択されているサムネイル画像の先頭の符号と末尾の符号を表す。
【００３９】
（態様２Ｂ）図１３に例示するように、地図領域１２に表示される撮影地点大マークと、画像領域１４に表示されるサムネイル画像とに共通の符号を表示させて対応関係を表す。態様２Ｂでは、画像領域１４においてサムネイル画像を選択する操作が先に行われると、当該サムネイル画像に表示する符号１，および２と共通の符号１，および２を対応する撮影地点マークに表示させる。地図領域１２の表示範囲（すなわち、地図の縮尺）は、選択されたサムネイル画像に対応した撮影地点マークを全て含む縮尺にするように制御する。
【００４０】
情報処理装置は、撮影地点大マークが複数のサムネイル画像に対応する場合であって、このうち１つのサムネイル画像（符号１）のみが選択されている場合、地図領域１２に表示中の撮影地点大マーク１のうち、一部分の表示態様を非選択の撮影地点マークの表示態様と異ならせる。図１３の例では、撮影地点大マーク１の一部が縦縞模様で表示されている。撮影地点大マークに表示する符号１は、選択されているサムネイル画像の符号を表す。
【００４１】
（態様２Ｃ）図１４に例示するように、地図領域１２に表示される撮影地点大マークと、画像領域１４に表示されるサムネイル画像とに共通の符号を表示させて対応関係を表す。態様２Ｃでは、画像領域１４においてサムネイル画像を選択する操作が先に行われると、当該サムネイル画像に表示する符号１，２および３と共通の符号１，２および３を対応する撮影地点マークに表示させる。地図領域１２の表示範囲（すなわち、地図の縮尺）は、選択されたサムネイル画像に対応した撮影地点マークを全て含む縮尺にするように制御する。
【００４２】
情報処理装置は、撮影地点大マークが複数のサムネイル画像に対応する場合であって、このうち複数のサムネイル画像（符号１、３）のみが選択されている場合、地図領域１２に表示中の撮影地点大マーク１−３のうち、一部分の表示態様を非選択の撮影地点マークの表示態様と異ならせる。図１４の例では、撮影地点大マーク１−３の一部が縦縞模様で表示されている。撮影地点大マークに表示する符号１−３は、選択されているサムネイル画像の先頭の符号および末尾の符号を表す。
【００４３】
以上説明した情報表示処理の流れについて、図１５に例示するフローチャートを参照して説明する。パーソナルコンピュータ２００のＣＰＵ（不図示）は、図１５の処理を行うためのプログラムを起動する。図１５のステップＳ１０１において、ＣＰＵは、図２に例示したものと同様の初期画面をディスプレイに表示させた上で、そのフォルダ領域１１にフォルダを示すツリー表示を行わせてステップＳ１０２へ進む。
【００４４】
ステップＳ１０２において、ＣＰＵは、フォルダ選択操作が行われたか否かを判定する。ＣＰＵは、フォルダを選択する操作信号を受けた場合にステップＳ１０２を肯定判定してステップＳ１０３へ進む。ＣＰＵは、フォルダを選択する操作信号を受けない場合にはステップＳ１０２を否定判定し、ステップＳ１１４へ進む。
【００４５】
ステップＳ１１４において、ＣＰＵは、終了操作が行われたか否かを判定する。ＣＰＵは、プログラムを終了させる操作信号を受けた場合にステップＳ１１４を肯定判定して図１５による処理を終了する。ＣＰＵは、プログラムを終了させる操作信号を受けない場合にはステップＳ１１４を否定判定し、ステップＳ１０２へ戻る。
【００４６】
ステップＳ１０３において、ＣＰＵは、選択フォルダ（図２において太枠表示）に含まれる各画像ファイルから撮影位置情報を読み出してステップＳ１０４へ進む。ステップＳ１０４において、ＣＰＵは、各画像ファイルの撮影位置を含むエリアの地図情報をパーソナルコンピュータ２００（図１）のデータストレージ装置から読み出してステップＳ１０５へ進む。
【００４７】
ステップＳ１０５において、ＣＰＵは、図２の地図領域１２に地図画像を表示させるとともに、撮影地点マーク１７を地図画像に重ねて表示させてステップＳ１０６へ進む。撮影地点マーク１７は、選択されているフォルダの中に格納されている各画像ファイルの撮影位置を示す。ステップＳ１０６において、ＣＰＵは、図２の画像領域１４にサムネイル画像を並べて表示させてステップＳ１０７へ進む。サムネイル画像は選択されているフォルダの中に格納されている各画像ファイルのサムネイル画像である。
【００４８】
ステップＳ１０７において、ＣＰＵは、絞り込み操作されたか否かを判定する。ＣＰＵは、絞り込みコントロール１３の始点マーク４１および終点マーク４２の少なくとも一方の表示位置を移動させる操作信号を受けた場合にステップＳ１０７を肯定判定してステップＳ１０８へ進む。ＣＰＵは、始点マーク４１および終点マーク４２のいずれの表示位置を移動させる操作信号も受けない場合にはステップＳ１０７を否定判定し、ステップＳ１０９へ進む。
【００４９】
ステップＳ１０８において、ＣＰＵは絞り込み処理を行い、絞り込み後に図５に例示した画面をディスプレイに表示させてステップＳ１０９へ進む。ステップＳ１０９において、ＣＰＵは選択操作が行われたか否かを判定する。ＣＰＵは、撮影地点マークまたはサムネイル画像を選択する操作信号を受けた場合にステップＳ１０９を肯定判定してステップＳ１１０へ進む。ＣＰＵは、撮影地点マークまたはサムネイル画像を選択する操作信号を受けない場合にはステップＳ１０９を否定判定し、ステップＳ１１１へ進む。
【００５０】
ステップＳ１１０において、ＣＰＵは、あらかじめメニュー設定によって選ばれている選択ツールに応じて、撮影地点マークとサムネイル画像とを対応づける処理を行い、処理後に対応づけ表示を行わせてステップＳ１１１へ進む。対応づけ表示は、図７〜図９の表示例のうち選択ツールに応じた態様で行う。
【００５１】
ステップＳ１１１において、ＣＰＵはズーム操作されたか否かを判定する。ＣＰＵは、ズームコントロールバー１５または１６を移動させる操作信号を受けた場合にステップＳ１１１を肯定判定してステップＳ１１２へ進む。ＣＰＵは、ズームコントロールバー１５または１６を移動させる操作信号を受けない場合にはステップＳ１１１を否定判定し、ステップＳ１１３へ進む。
【００５２】
ステップＳ１１２において、ＣＰＵは、ズームコントロールバー１５のドラッグ操作に応じて地図領域１２の縮尺を変化させる。ＣＰＵは、ズームコントロールバー１６のドラッグ操作に応じてサムネイル画像の表示倍率を変化させる。
【００５３】
ステップＳ１１３において、ＣＰＵはフォルダ変更操作が行われたか否かを判定する。ＣＰＵは、選択中のフォルダと異なるフォルダを選択するための操作信号を受けた場合にステップＳ１１３を肯定判定してステップＳ１０２へ戻る。ＣＰＵは、異なるフォルダを選択するための操作信号を受けない場合にはステップＳ１１３を否定判定し、ステップＳ１０７へ戻る。
【００５４】
以上説明した実施形態によれば、次の作用効果が得られる。
（１）ディスプレイの画像領域１４に複数の画像を表示させ、ディスプレイの地図領域１２に地図を表示させ、この地図上に複数の画像の撮影位置を示す撮影地点マーク１７を表示させた上で、画像と撮影地点マークとの対応を示す表示をさせるようにしたので（図５）、画像およびその撮影地点との対応をわかりやすく表示できる。
【００５５】
（２）サムネイル画像を画像領域１４に表示させるようにしたので、サムネイル画像よりデータサイズが大きな画像（たとえば本画像）を表示する場合に比べて、多数の画像を画像領域１４に表示できる。また、画像領域１４の範囲を抑えて地図領域１２を広く確保できる。
【００５６】
（３）画像領域１４に表示中の画像のうち、ポインタ３１を用いた操作信号に基づいて１以上の画像を非表示にし、非表示にされた画像に対応する撮影地点マークの表示態様を表示中の画像に対応する撮影地点マークの表示態様と異ならせるようにしたので、上記操作信号で指示された画像のみについて、撮影地点との対応をわかりやすく表示できる。なお、上記操作信号は、表示を残す画像を指示するものでも、非表示にする画像を指示するものでもよい。
【００５７】
（４）画像領域１４に表示中の画像のうち上記操作信号で指示された画像の表示態様を他の画像の表示態様と異ならせ、異なる表示態様にされた画像に関連づけて当該画像に対応する撮影地点マークを表示させるようにしたので、上記（３）で表示された画像のうち、さらに指示された画像と撮影地点との対応をよりわかりやすく表示できる。
【００５８】
（５）地図上に表示中の撮影地点マークのうち上記操作信号で指示された撮影地点マークの表示態様を他の撮影地点マークの表示態様と異ならせ、異なる表示態様にされた撮影地点マークに関連づけて当該撮影地点マークに対応する画像を表示させるようにしたので、上記（３）で表示された画像のうち、さらに指示された撮影地点と画像との対応をよりわかりやすく表示できる。
【００５９】
（６）対応する画像と撮影地点マークとに共通の符号を付するようにしたので、対応関係をわかりやすく表示できる。
【００６０】
（７）操作信号で指示された画像に所定の順番で符号を付するようにしたので、符号順をランダムにする場合に比べて、対応関係をわかりやすく表示できる。
【００６１】
（８）画像領域１４を複数に分割した領域ごとに所定の順番で符号を付するようにしたので、撮影地点が近いにもかかわらず離れた順番で符号が付されたり、撮影地点が離れているにもかかわらず符号が連続するなどの不都合を避けることができる。
【００６２】
（９）地図上で重なる複数の撮影地点マークを１つにまとめるとともに、複数の画像に対応することを示す態様で当該撮影地点マークを表示させるようにしたので、表示が重なって複雑になることを避けることができる。
【００６３】
（１０）撮影地点マークに複数の画像に対応することを示す符号を付するようにしたので、上記まとめたマークと画像との対応をよりわかりやすく表示できる。
【００６４】
（変形例１）
以上の説明では、絞り込みを撮影日時情報に基づいて行うようにしたが、撮影位置情報に基づいて行うようにしてもよい。この場合の情報処理装置のＣＰＵは、絞り込みコントロール１３の初期状態における左端を撮影位置が最も北方の画像ファイルに対応させる。初期状態における右端は、撮影位置が最も南方の画像ファイルに対応させる。左端と右端との間の黒丸「・」は、撮影位置を北から南へ並べた画像ファイルに対応させる。
【００６５】
変形例１の情報処理装置は、始点マーク４１および終点マーク４２の表示位置にポインタ３１が重ね操作された場合、始点マーク４１（または終点マーク４２）で示される黒丸「・」に対応する画像ファイルの撮影位置情報（緯度情報）をポップアップ表示させる。
【００６６】
（変形例２）
絞り込みコントロール１３の初期状態における左端を撮影位置が最も西方の画像ファイルに対応させ、初期状態における右端を撮影位置が最も東方の画像ファイルに対応させてもよい。左端と右端との間の黒丸「・」は、撮影位置を西から東へ並べた画像ファイルに対応させる。
【００６７】
変形例２の情報処理装置は、始点マーク４１および終点マーク４２の表示位置にポインタ３１が重ね操作された場合、始点マーク４１（または終点マーク４２）で示される黒丸「・」に対応する画像ファイルの撮影位置情報（経度情報）をポップアップ表示させる。
【００６８】
（変形例３）
また、絞り込みを画像ファイルの名称に基づいて行うようにしてもよい。この場合の情報処理装置のＣＰＵは、絞り込みコントロール１３の初期状態における左端をファイル名称がＡから始まる画像ファイルに対応させる。初期状態における右端をファイル名称がＺから始まる画像ファイルに対応させる。左端と右端との間の黒丸「・」は、ファイル名称をアルファベット順に並べた画像ファイルに対応させる。
【００６９】
変形例３の情報処理装置は、始点マーク４１および終点マーク４２の表示位置にポインタ３１が重ね操作された場合、始点マーク４１（または終点マーク４２）で示される黒丸「・」に対応する画像ファイルの名称をポップアップ表示させる。
【００７０】
（変形例４）
画像領域１４にサムネイル画像を表示させたが、サムネイル画像のような縮小画像よりデータサイズが大きい画像を表示させるようにしてもよい。とくに、大型ディスプレイを用いる場合は表示画面が広いので、画像領域１４を広げてサムネイル画像より大きなサイズの画像を表示させることができる。
【００７１】
以上の説明はあくまで一例であり、上記の実施形態の構成に何ら限定されるものではない。
【図面の簡単な説明】
【００７２】
【図１】コンピュータ装置を例示する図である。
【図２】ディスプレイに表示される表示画面を例示する図である。
【図３】絞り込みコントロールの拡大図である。
【図４】絞り込みコントロールの拡大図である。
【図５】絞り込みコントロールの拡大図である。
【図６】ポップアップ表示中の絞り込みコントロールの拡大図である。
【図７】撮影地点マークとサムネイル画像との対応関係を例示する図である。
【図８】撮影地点マークとサムネイル画像との対応関係を例示する図である。
【図９】撮影地点マークとサムネイル画像との対応関係を例示する図である。
【図１０】分割領域ごとに順番に符号を付する場合を例示する図である。
【図１１】撮影地点大マークとサムネイル画像との対応関係を例示する図である。
【図１２】撮影地点大マークとサムネイル画像との対応関係を例示する図である。
【図１３】撮影地点大マークとサムネイル画像との対応関係を例示する図である。
【図１４】撮影地点大マークとサムネイル画像との対応関係を例示する図である。
【図１５】情報表示処理の流れを説明するフローチャートである。
【符号の説明】
【００７３】
１１…フォルダ領域
１２…地図領域
１３…絞り込みコントロール
１４…画像領域
１５、１６…ズームコントロールバー
１７…撮影地点マーク
３１…ポインタ
２００…パーソナルコンピュータ
【図１】
2010026975.tif 000003
【図２】
2010026975.tif 000004
【図３】
2010026975.tif 000005
【図４】
2010026975.tif 000006
【図５】
2010026975.tif 000007
【図６】
2010026975.tif 000008
【図７】
2010026975.tif 000009
【図８】
2010026975.tif 000010
【図９】
2010026975.tif 000011
【図１０】
2010026975.tif 000012
【図１１】
2010026975.tif 000013
【図１２】
2010026975.tif 000014
【図１３】
2010026975.tif 000015
【図１４】
2010026975.tif 000016
【図１５】
2010026975.tif 000017